(57)【特許請求の範囲】
【請求項１】
ネットワークを介して通信接続を行うネットワーク装置において、
自機の装置情報、装置レベル、設定項目、前記各設定項目の設定情報および前記各設定項目の設定レベルを記憶した自機情報記憶部と、
他機の装置情報および装置レベルを記憶した他機情報記憶部と、
前記自機情報記憶部に記憶された前記各設定項目の設定レベルと、前記他機情報記憶部に記憶された他機の装置レベルとを比較し、所定の条件を満たす自機の設定項目を他機により自動設定可能な設定項目として抽出する設定情報処理部と、
前記設定情報処理部が抽出した設定項目、前記抽出した設定項目の設定情報、前記自機の装置情報および前記装置レベルを自動設定情報として、前記ネットワークを介して前記他機に送信する設定送信部とを備えたことを特徴とするネットワーク装置。
【請求項２】
前記設定情報処理部は、前記自機情報記憶部に記憶された自機の設定情報が更新された場合に、更新後の各設定項目の設定レベルと、前記他機情報記憶部に記憶された他機の装置レベルとを比較し、所定の条件を満たす自機の設定項目を他機により自動設定可能な設定項目として抽出し、
前記設定送信部は、前記設定情報処理部が抽出した設定項目、前記抽出した設定項目の設定情報、前記自機の装置情報および前記装置レベルを自動設定情報として、前記ネットワークを介して前記他機に送信することを特徴とする請求項１記載のネットワーク装置。
【請求項３】
前記他機情報記憶部は、他機の設定項目、前記各設定項目の設定情報および前記各設定項目の設定レベルを記憶し、
前記設定情報処理部は、前記自機情報記憶部に記憶された自機の装置レベルと、前記他機情報記憶部に記憶された他機の装置レベルとを比較し、所定の条件を満たす他機を、自機により自動設定可能な機器として抽出すると共に、抽出した他機の設定項目および設定情報から任意の設定項目および任意の設定情報を選択し、
前記設定送信部は、前記設定情報処理部が選択した他機の任意の設定項目および任意の設定情報、自機の装置情報および装置レベルを自動設定要求として、前記ネットワークを介して前記設定情報処理部が抽出した他機に送信することを特徴とする請求項１記載のネットワーク装置。
【請求項４】
前記設定情報処理部が、自機の前記ネットワークへの新規接続を検知し、前記自機情報記憶部に記憶された自機の装置情報および装置レベルを取得し、前記設定送信部が、前記設定情報処理部が取得した自機の装置情報および装置レベルを前記ネットワークを介して前記他機に送信した場合に、
前記設定送信部が送信した装置情報および装置レベルを受信した他機から送信された、他機の装置情報、装置レベル、設定項目、前記各設定項目の設定情報および前記各設定項目の設定レベルを受信する設定受信部と、
前記設定受信部が受信した他機の装置情報を参照し、自動設定可能な装置種別を有する他機を選択し、当該選択した他機の装置情報、装置レベル、設定項目、前記各設定項目の設定情報および前記各設定項目の設定レベルを前記他機情報記憶部に記憶する記憶情報処理部とを備えたことを特徴とする請求項１記載のネットワーク装置。
【請求項５】
前記自機あるいは前記他機の設定項目および当該設定項目の変更内容を対応付けた操作情報を記憶する設定翻訳記憶部と、
前記設定翻訳記憶部に記憶された操作情報を提示し、提示した操作情報に対して入力される操作指示を受け付け、前記受け付けた操作指示に対応した設定項目および当該設定項目の変更内容を前記設定翻訳記憶部から読み出す設定翻訳部と、
前記設定翻訳部が読み出した設定項目および変更内容を満たす設定値候補を前記自機情報記憶部から探索する探索部とを備え、
前記記憶情報処理部は、前記探索部が探索した設定値候補を前記自機情報記憶部にあらたに記憶することを特徴とする請求項４記載のネットワーク装置。
【請求項６】
自機の装置状態および自機の通信状態を監視し、当該装置状態および通信状態が所定の条件を満たす場合に、前記設定情報の自動設定指示を出力する状態監視部とを備え、
前記設定翻訳記憶部は、前記自動設定指示と、前記自機あるいは前記他機の設定項目および当該設定項目の変更内容とを対応付けて記憶し、
前記設定翻訳部は、前記状態監視部が出力した自動設定指示に対応した設定項目および変更内容を前記設定翻訳記憶部から読み出し、
前記探索部は、前記設定翻訳部が読み出した設定項目および設定内容を満たす設定値候補を前記自機情報記憶部から探索し、
前記記憶情報処理部は、前記探索部が探索した設定値候補を前記自機情報記憶部にあらたに記憶することを特徴とする請求項５記載のネットワーク装置。
【請求項７】
前記探索部は、前記設定翻訳部が読み出した設定項目および変更内容を満たす設定値候補を前記他機情報記憶部から探索し、
前記設定情報処理部は、前記探索部が探索した設定値候補を有する他機を自機により自動設定可能な機器として抽出し、
前記設定送信部は、前記探索部が探索した設定値候補、当該設定値候補の設定項目、自機の装置情報および自機の装置レベルを自動設定要求として、前記ネットワークを介して前記設定情報処理部が抽出した他機に送信することを特徴とする請求項５または請求項６記載のネットワーク装置。
【請求項８】
ネットワークを介して装置間の通信接続を行うネットワークシステムにおいて、
自機の装置情報、装置レベル、設定項目、前記各設定項目の設定情報および前記各設定項目の設定レベルを記憶した自機情報記憶部と、他機の装置情報および装置レベルを記憶した他機情報記憶部と、前記自機情報記憶部に記憶された前記各設定項目の設定レベルと、前記他機情報記憶部に記憶された他機の装置レベルとを比較し、所定の条件を満たす自機の設定項目を他機により自動設定可能な設定項目として抽出する設定情報処理部と、前記設定情報処理部が抽出した設定項目、前記抽出した設定項目の設定情報、前記自機の装置情報および前記装置レベルを自動設定情報として、前記ネットワークを介して前記他機に送信する設定送信部とを備えた第１のネットワーク装置と、
自機の装置情報および装置レベル、設定項目、前記各設定項目の設定情報および前記各設定項目の設定レベルを記憶した自機情報記憶部と、他機の装置情報、装置レベル、設定項目、前記各設定項目の設定情報および前記各設定項目の設定レベルを記憶した他機情報記憶部と、前記第１のネットワーク装置から送信された自動設定情報を受信する設定受信部と、前記設定受信部が受信した自動設定情報を参照し、前記装置情報としてあらかじめ設定された自動設定可能な装置種別を有する他機から送信された設定項目および当該設定項目の設定情報を前記他機情報記憶部に記憶する記憶情報処理部とを備えた第２のネットワーク装置とを備えたことを特徴とするネットワークシステム。
【請求項９】
前記第１のネットワーク装置の前記他機情報記憶部は、他機の設定項目、前記各設定項目の設定情報および前記各設定項目の設定レベルを記憶し、
前記第１のネットワーク装置の前記設定情報処理部は、前記自機情報記憶部に記憶された自機の装置レベルと、前記他機情報記憶部に記憶された他機の装置レベルとを比較し、所定の条件を満たす他機を、自機により自動設定可能な機器として抽出すると共に、抽出した他機の設定項目および設定情報から任意の設定項目および任意の設定情報を選択し、
前記第１のネットワーク装置の前記設定送信部は、前記設定情報処理部が選択した他機の任意の設定項目および任意の設定情報、自機の装置情報および装置レベルを自動設定要求として、前記ネットワークを介して前記設定情報処理部が抽出した他機に送信することを特徴とする請求項８記載のネットワークシステム。
【請求項１０】
前記第２のネットワーク装置の前記設定受信部は、他機から送信された他機の装置情報、他機の装置レベル、任意の設定項目および任意の設定情報で構成された自動設定要求を受信し、
前記第２のネットワーク装置の記憶情報処理部は、前記設定受信部が受信した自動設定要求を参照し、前記他機情報記憶部に記憶された装置情報を有する他機から送信された任意の設定項目および任意の設定情報を前記自機情報記憶部に記憶することを特徴とする請求項９記載のネットワークシステム。
【請求項１１】
前記第２のネットワーク装置の前記設定受信部が、前記ネットワークへ新規接続した他機の装置情報および装置レベルを受信した場合に、
前記第２のネットワーク装置の前記自機情報記憶部に記憶された前記各設定項目の設定レベルと、前記設定受信部が受信した他機の装置レベルとを比較し、所定の条件を満たす自機の設定項目を他機により自動設定可能な項目として抽出する前記第２のネットワーク装置の設定情報処理部と、
前記第２のネットワーク装置の前記設定情報処理部が抽出した設定項目、当該設定項目の設定情報、前記自機情報記憶部に記憶された自機の装置情報および装置レベルを、前記ネットワークへ新規接続した他機に送信する前記第２のネットワーク装置の設定送信部とを備えたことを特徴とする請求項８から請求項１０のうちのいずれか１項記載のネットワークシステム。
【発明の詳細な説明】
【技術分野】
【０００１】
この発明は、ネットワークに接続されたネットワーク装置間でパラメータ値を自動設定する機能を有したネットワーク装置およびネットワークシステムに関するものである。
【背景技術】
【０００２】
ネットワークを介して、ライブ映像の表示や記録映像の表示などの各種サービスを提供する場合、サービス運用前にネットワークに接続される各ネットワーク装置に多くのパラメータを設定する必要がある。また、サービス運用開始後に運用条件を変更したい場合、関連するネットワーク装置全てのパラメータを全て再設定する必要が生じる。
近年、ＩＰアドレス（インターネットプロトコルアドレス）を自動的に割り当てる規格であるＤＨＣＰ（Ｄｙｎａｍｉｃ Ｈｏｓｔ Ｃｏｎｆｉｇｕｒａｔｉｏｎ Ｐｒｏｔｏｃｏｌ）やネットークワーク上に存在するネットワーク装置を自動的に発見し、発見したネットワーク装置の機器設定を自動で行う規格であるＵＰｎＰ（Ｕｎｉｖｅｒｓａｌ Ｐｌｕｇ Ａｎｄ Ｐｌａｙ）、あるいはアップル社のＢｏｎｊｏｕｒ（登録商標、以下記載を省略する）などの確立により、各ネットワーク装置間のデータ通信が可能となるネットワーク環境を自動で構築することが可能となっている。
【０００３】
一方、システムによっては、ネットワーク装置によって運用開始に必要となるパラメータが異なる場合がある。さらに同一種のネットワーク装置（例えば、ネットワークカメラなど）においても必要となるパラメータが異なり、上述した種々の規格によるネットワーク環境の自動構築のみでシステム全般を運用することができない場合があった。
【０００４】
この対策として、特許文献１にはユーザが装置に設定することが可能な設定項目それぞれに設定変更禁止ビットを保持させる自動設定装置が開示されている。具体的には、自動設定装置は、マスタ設定ビットを保有し、当該マスタ設定ビットが「１」の場合はマスタ装置として動作し、マスタ設定ビットが「０」の場合はスレーブ装置として動作する。自動設定装置のスレーブ設定時には設定パラメータ情報リスト要求を送信し、当該要求に対して送信されたパラメータリストに基づいてパラメータ更新を行うが、その際に設定変更禁止ビットが設定された設定項目についてはパラメータの変更を行わないように構成されている。
【先行技術文献】
【特許文献】
【０００５】
【特許文献１】特開２００６−３１１２９４号公報
【発明の概要】
【発明が解決しようとする課題】
【０００６】
しかしながら、上述した特許文献１に開示された技術では、サーバ（マスタ）となる自動設定装置をあらかじめ決めておく必要があるという課題があった。また、マスタ設定された自動設定装置は設定パラメータ情報リストを送信し、スレーブ設定された自動設定装置は受信した設定パラメータ情報リストから設定変更禁止ビットを参照して設定不可のデータを選別するため、マスタ設定された自動設定装置は、設定不可のデータを無駄にネットワーク上に送信してしまうという課題があった。さらに、システム運用開始後に運用条件を変更したい場合、設定項目のパラメータをユーザが決定して変更する必要があり、パラメータはネットワーク装置固有のものであるため十分な知識を有していないユーザはパラメータ値を正確に設定することができないという課題があった。
【０００７】
この発明は、上記のような課題を解決するためになされたもので、不要なデータ通信を抑制すると共に、システム運用の利便性を向上させたネットワーク装置を提供することを目的とする。
【課題を解決するための手段】
【０００８】
この発明に係るネットワーク装置は、自機の装置情報、装置レベル、設定項目、各設定項目の設定情報および各設定項目の設定レベルを記憶した自機情報記憶部と、他機の装置情報および装置レベルを記憶した他機情報記憶部と、自機情報記憶部に記憶された各設定項目の設定レベルと、他機情報記憶部に記憶された他機の装置レベルとを比較し、所定の条件を満たす自機の設定項目を他機により自動設定可能な設定項目として抽出する設定情報処理部と、設定情報処理部が抽出した設定項目、抽出した設定項目の設定情報、自機の装置情報および装置レベルを自動設定情報として、ネットワークを介して他機に送信する設定送信部とを備えるものである。
【発明の効果】
【０００９】
この発明によれば、不要なデータ通信を抑制すると共に、利便性を向上させたシステム運用を行うことができる。
【図面の簡単な説明】
【００１０】
【図１】実施の形態１によるネットワークシステムの構成を示す図である。
【図２】実施の形態１によるネットワーク装置の構成を示すブロック図である。
【図３】実施の形態１によるネットワーク装置の自設定パラメータを示す図である。
【図４】実施の形態１によるネットワーク装置の自動設定リストを示す図である。
【図５】実施の形態１によるネットワークシステムの一例を示すブロック図である。
【図６】実施の形態１による第１ネットワーク装置のパラメータの一例を示す図である。
【図７】実施の形態１による第２ネットワーク装置のパラメータの一例を示す図である。
【図８】実施の形態１によるネットワーク装置の自動設定処理を示すフローチャートである。
【図９】実施の形態１によるネットワーク装置のパラメータ更新処理を示すフローチャートである。
【図１０】実施の形態１によるネットワーク装置の自動更新処理を示すフローチャートである。
【図１１】実施の形態１によるネットワーク装置の自動更新処理を示すフローチャートである。
【図１２】実施の形態２によるネットワーク装置の構成を示すブロック図である。
【図１３】実施の形態２によるネットワーク装置の翻訳パラメータを示す図である。
【図１４】実施の形態２によるネットワーク装置の翻訳パラメータを用いたパラメータ値の更新処理を示すフローチャートである。
【図１５】実施の形態３によるネットワーク装置の構成を示すブロック図である。
【図１６】実施の形態３によるネットワーク装置の監視パラメータを示す図である。
【図１７】実施の形態３によるネットワーク装置の監視パラメータを用いたパラメータ値の更新処理を示すフローチャートである。
【発明を実施するための形態】
【００１１】
実施の形態１．
図１は、この発明の実施の形態１によるネットワークシステムの構成を示す説明図である。
ネットワークを基本とするシステムであり、ＤＨＣＰ、ＵＰｎＰまたはＢｏｎｊｏｕｒなどによりネットワーク設定が自動的に行われ、設定されたネットワークにネットワーク装置１００が接続される。図１では、３台のネットワーク装置１００ａ，１００ｂ，１００ｃが接続されている例を示したが、ネットワーク装置１００の台数は適宜増減させて構成可能である。このネットワーク装置１００としては、例えばネットワークカメラ、ネットワークレコーダおよびビューワなどが挙げられる。
【００１２】
図２は、この発明の実施の形態１のネットワーク装置の構成を示すブロック図である。
ネットワーク装置１００は、自設定パラメータ記憶部１０２および自動設定リスト記憶部１０３を備えたパラメータ記憶部１０１、設定送信部１０５、設定受信部１０６、設定情報処理部１０７および記憶情報処理部１０８を備えたパラメータ制御部１０４、およびネットワーク制御部１０９で構成されている。
自設定パラメータ記憶部１０２は、ユーザがネットワーク装置１００に対して設定することができる全てのパラメータである自設定パラメータを記憶する。自動設定リスト記憶部１０３は、ネットワーク１１０上に存在する各ネットワーク装置１００の自動設定情報である自動設定リストを記憶する。
【００１３】
設定送信部１０５は、設定情報処理部１０７においてデータ処理された設定情報および要求情報をネットワーク制御部１０９およびネットワーク１１０を介して他のネットワーク装置１００に送信する。設定受信部１０６は、ネットワーク１１０およびネットワーク制御部１０９を介して受信した他のネットワーク装置が送信した設定情報および要求情報を受信する。設定情報処理部１０７は、設定受信部１０６が受信した受信した設定情報および要求情報を参照し、あるいは自設定パラメータ記憶部１０２に記憶された自設定パラメータおよび自動設定リスト記憶部１０３に記憶された自動設定リストを参照し、他のネットワーク装置１００に送信すべき設定情報および要求情報を生成する。
【００１４】
記憶情報処理部１０８は、設定受信部１０６が受信した設定情報および要求情報を参照し、当該ネットワークシステムに必要な情報を選択してパラメータ記憶部１０１に記憶する。ネットワーク制御部１０９は、設定送品部１０５および設定受信部１０６が他のネットワーク装置１００とデータ送受信のための通信を行うためのデータ変換を行う。
【００１５】
次に、パラメータ記憶部１０１の自設定パラメータ記憶部１０２が記憶する自設定パラメータおよび自動設定リスト記憶部１０３が記憶する自動設定リストの詳細について説明する。
図３は、ネットワーク装置１００がネットワークカメラである場合の自設定パラメータの一例を示す図である。
自設定パラメータ２００は、設定項目２０１、各設定項目に対応したパラメータ値２０２、各設定項目に対して設定可能なパラメータ値候補２０３、各設定項目２０１における設定レベル２０４で構成されている。
【００１６】
パラメータ値候補２０３は、自設定パラメータ２００に対して設定可能となるパラメータ値が記憶されている。各設定項目２０１に対して記憶するパラメータ値候補２０３は複数あってもよいし、１つであってもよい。設定レベル２０４は、ネットワーク１１０に接続されている他のネットワーク装置１００からの自動設定要求に対し、設定を許可するかどうかを判断する記述を数値化したものである。例えば、設定レベル「３」の自動設定可能権限を有している他のネットワーク装置１００から自動設定要求を受けた場合には、図３において設定レベルが「３」より大きい設定レベル「４」を有する設定項目２０１である「ＩＰアドレス」、「サブネットマスク」、「ユーザ名」および「パスワード」の自動設定は許可されない。
【００１７】
図４は、ネットワーク装置１００がビューワである場合の自動設定リストの一例を示す図である。
自動設定リスト３００は、１つの自機自動設定リスト３０１とネットワーク１１０に接続されている他のネットワーク装置１００の１つ以上の他機自動設定リスト３０４で構成されている。図４の例では、他機がネットワークカメラである場合を例に示している。
自機自動設定リスト３０１は、カメラ、レコーダまたはビューワなど機種を判別するための「機種」情報と、他のネットワーク装置１００から自動設定要求を受け付ける場合の「宛先」情報などが記載された装置情報３０２と、自動設定の権限を数値化した装置レベル３０３で構成されている。
装置レベル３０３は、自機が、他機の自設定パラメータ記憶部１０２に記憶された自設定パラメータ２００の各設定項目２０１それぞれに対して有する自動設定の権限を示している。権限の強弱は、自機の装置レベル３０３と他機の各設定レベル２０４との差異により決定される。
具体的には、図４で示した自機自動設定リスト３０１のビューワの装置レベル３０３は「４」であることから、他機自動設定リスト３０４のネットワークカメラの各設定項目２０１（図３参照）のうち、設定レベル２０４が「４」以下である設定項目、「ＩＰアドレス」、「サブネットマスク」、「画像サイズ」および「フレームレート」などは自動設定可能と判断される。一方、「ユーザ名」および「パスワード」の設定レベル２０４は「５」であることから、これらの設定項目２０１についてビューワは自動設定することができない。
【００１８】
他機自動設定リスト３０４は、装置情報３０５、装置レベル３０６、設定項目候補３０７、パラメータ値３０８およびパラメータ値候補３０９で構成されている。
設定項目候補３０７は、他機自動設定リスト３０４に記載されたネットワーク装置（図４ではネットワークカメラ）が自機自動設定リスト３０１に記載されたネットワーク装置（図４ではビューワ）により自動設定可能となる設定項目が記載されている。図４の例では上述の通り、ネットワークカメラはビューワにより「ＩＰアドレス」、「サブネットマスク」、「画像サイズ」および「フレームレート」などが自動設定可能であるため、これらの項目が設定項目候補３０７に記載される。
【００１９】
パラメータ値３０８には、装置情報３０５に記載されたネットワーク装置１００に現在設定されているパラメータ値が記載されている。図４では、ネットワークカメラの現在のＩＰアドレスが「１９２．１６８．０．１００」であり、画像サイズが「６４０×４８０」であることを示している。パラメータ値候補３０９は、各設定項目候補３０７に対して自動設定可能なパラメータ値が記載されている。
【００２０】
次に、実施の形態１によるネットワークシステムの動作について、図５から図８を参照しながら説明する。図５は、ネットワーク１１０に接続されたネットワーク装置１００ａ，１００ｂの構成を示す図であり、図６および図７は各ネットワーク装置１００ａ，１００ｂのパラメータ記憶部１０１ａ，１０１ｂに記憶されたパラメータの一例を示す図である。図５から図７の構成は上述した図２から図４と同一であることから詳細な説明は省略する。
【００２１】
なお、第１ネットワーク装置１００ａおよび第２ネットワーク装置１００ｂの自動設定リスト記憶部１０３ａ，１０３ｂには、ＤＨＣＰまたは製品出荷時の設定などによりあらかじめ設定された自機自動設定リスト３０１ａ，３０１ｂが記憶されているものとする。すなわち、装置情報３０２ａ，３０２ｂおよび装置レベル３０３ａ，３０３ｂがあらかじめ設定されているものとする。
【００２２】
図８はネットワーク装置１００ａ，１００ｂの動作を示すフローチャートであり、第１ネットワーク装置１００ａと第２ネットワーク装置１００ｂとを明記した構成およびパラメータを示す図５から図７を参照しながら説明を行う。また、図８のフローチャートでは第２ネットワーク装置１００ｂ（例えば、ネットワークカメラ）が既に接続されたネットワーク１１０に、新たに第１ネットワーク装置１００ａ（例えば、ビューワ）を接続した場合の自動設定要求の送受信について説明する。
【００２３】
第１ネットワーク装置１００ａがネットワーク１１０に接続されると（ステップＳＴ１）、第１ネットワーク装置１００ａの設定情報処理部１０７ａは自動設定リスト記憶部１０３ａに記憶された自機自動設定リスト３０１ａの装置情報３０２ａおよび装置レベル３０３ａを読み出し、設定送信部１０５ａが自動設定情報Ａとして、ネットワーク制御部１０９ａを介してネットワーク１１０にブロードキャスト送信する（ステップＳＴ２）。
【００２４】
ネットワーク１１０に接続されていた第２ネットワーク装置１００ｂの設定受信部１０６ｂがステップＳＴ２で送信された自動設定情報Ａを受信すると（ステップＳＴ３）、設定情報処理部１０７ｂは自動設定情報Ａに含まれる装置レベル３０３ａと、自設定パラメータ記憶部１０２ｂに記憶された自動設定パラメータ２００ｂの各設定レベル２０４ｂを比較し、自動設定可能であるか判別する（ステップＳＴ４）。具体的には、設定レベル２０４ｂの値が、装置レベル３０３ａの値以下である設定項目２０１ｂ、パラメータ値２０２ｂおよびパラメータ値候補２０３ｂが自動設定可能であると判別される。なお、第１ネットワーク装置１００ａの装置レベル３０３ａと、第２ネットワーク装置１００ｂの装置レベル３０３ｂを比較して自動設定可能であるか判別してもよい。
【００２５】
第２ネットワーク装置１００ｂの設定送信部１０５ｂは、ステップＳＴ４で自動設定可能であると判別した設定項目２０１ｂ、パラメータ値２０２ｂ、パラメータ値候補２０３ｂ、および自機自動設定リスト３０１ｂの装置情報３０２ｂおよび装置レベル３０３ｂを第２ネットワーク装置１００ｂの自動設定情報Ｂとしてネットワーク１１０に送信する（ステップＳＴ５）
【００２６】
第１ネットワーク装置１００ａの設定受信部１０６ａが、ステップＳＴ５で送信された「自動設定情報Ｂ」を受信すると（ステップＳＴ６）、記憶情報処理部１０８ａが自動設定情報Ｂに含まれる装置情報３０２ｂを参照し、現在のネットワークシステムに必要な装置を選別する（ステップＳＴ７）。具体的には、現在のネットワークシステムがセキュリティシステムであり、装置情報３０２ｂの機種情報が「ネットワークカメラ」である場合にはセキュリティシステムに必要な装置と判断し、機種情報が「冷蔵庫」である場合はセキュリティシステムに不要な装置であると判断する。さらに記憶情報処理部１０８ａは、ステップＳＴ７で選別した現在のネットワークシステムに必要な装置の自動設定情報Ｂのみを他機自動設定リスト３０４ａとして登録し、自動設定リスト記憶部１０３ａに記憶させる（ステップＳＴ８）。
【００２７】
次に第１ネットワーク装置１００ａの設定情報処理部１０７ａは、自動設定リスト記憶部１０３ａに記憶された他機自動設定リスト３０４ａを読み出し（ステップＳＴ９）、読み出した他機自動設定リスト３０４ａに、装置情報３０５ａ、装置レベル３０６ａ、設定項目候補３０７ａ、パラメータ値３０８ａ、パラメータ値候補３０９ａが存在するか判定を行う（ステップＳＴ１０）。存在しない場合（ステップＳＴ１０；ＮＯ）、処理を終了する。一方、存在する場合（ステップＳＴ１０；ＹＥＳ）、設定情報処理部１０７ａは自設定パラメータ記憶部１０２ａに記憶された自設定パラメータ２００ａの各設定レベル２０４ａの値と、自動設定リスト記憶部１０３ａに記憶された他機自動設定リスト３０４ａの装置レベル３０６ａの値とを比較し、自動設定可能であるか判別する（ステップＳＴ１１）。
【００２８】
具体的には、設定レベル２０４ａの値が、装置レベル３０６ａの値以下に該当する設定項目２０１ａのパラメータ値２０２ａおよびパラメータ値候補２０３ａは、他機自動設定リスト３０４ａに記載された第２ネットワーク装置１００ｂにより自動設定可能であると判別される。なお、第１ネットワーク装置１００ａの装置レベル３０３ａの値と、第２ネットワーク装置１００ｂの装置レベル３０６ａの値とを比較して自動設定可能であるか判別してもよい。
【００２９】
第１ネットワーク装置１００ａの設定送信部１０５ａは、装置情報３０２ａ、装置レベル３０３ａおよびステップＳＴ１１において自動設定可能であると判別された設定項目２０１ａ、当該設定項目２０１ａのパラメータ値２０２ａおよびパラメータ値候補２０３ａを自動設定情報Ａ´として、装置情報３０５ａに示された第２ネットワーク装置１００ｂに送信する（ステップＳＴ１２）。その後、設定情報処理部１０７ａは、自動設定パラメータ３００ａに記載された他のネットワーク装置全てに対して処理を行ったか否か判定を行う（ステップＳＴ１３）。他のネットワーク装置全てに対して処理を行った場合（ステップＳＴ１３；ＹＥＳ）処理を終了し、他のネットワーク装置全てに対して処理を行っていない場合（ステップＳＴ１３；ＮＯ）にはステップＳＴ１１の処理に戻る。
【００３０】
第２ネットワーク装置１００ｂの設定受信部１０６ｂがステップＳＴ１２で送信された自動設定情報Ａ´を受信すると（ステップＳＴ１４）、記憶情報処理部１０８ｂは受信した自動設定情報Ａ´に記載された装置情報３０２ａを参照し、現在のネットワークシステムに必要な装置か判別する（ステップＳＴ１５）。具体的には、現在のネットワークシステムがセキュリティシステムであり、装置情報３０５ａの機種情報が「ネットワークカメラ」である場合はセキュリティシステムに必要な装置と判別し、機種情報が「冷蔵庫」である場合にはセキュリティシステムに不要な装置であると判別する。記憶情報処理部１０８ｂは、ステップＳＴ１５で必要であると判別した装置の装置情報３０２ａ、装置レベル３０２ｂ、設定項目２０１ａ、パラメータ値２０２ａおよびパラメータ値候補２０３ａを他機自動設定リスト３０４ｂとして登録し（ステップＳＴ１６）、処理を終了する。
【００３１】
次に、ユーザ操作あるいは自動更新処理によりネットワーク装置１００の自設定パラメータ記憶部１０２に記憶された自設定パラメータ２００が更新された場合の動作について、図９のフローチャートを参照しながら説明を行う。なお、図９のフローチャートでは、第１ネットワーク装置１００ａの自設定パラメータ２００ａが更新された際に、ネットワーク１１０に接続された第２ネットワーク装置１００ｂに対して自動設定情報を送信する場合を例に説明する。
【００３２】
まず、第１ネットワーク装置１００ａの設定情報処理部１０７ａは、自設定パラメータ記憶部１０２ａに記憶された自設定パラメータ２００ａが更新されたか否か判定を行い、更新された場合（ステップＳＴ２１；ＹＥＳ）、自動設定リスト記憶部１０３ａに記憶された他機自動設定リスト３０４ａを読み出し（ステップＳＴ９）、装置情報３０５ａ、装置レベル３０６ａ、設定項目候補３０７ａ、パラメータ値３０８ａ、パラメータ値候補３０９ａが存在するか判定を行う（ステップＳＴ１０）。その後フローチャートは上述した図８のステップＳＴ１１からステップＳＴ１３と同一の処理を行い、自動設定情報Ａ´を第２ネットワーク装置１００ｂに送信する。
【００３３】
一方、ステップＳＴ１２で送信された自動設定情報Ａ´を受信した第２ネットワーク装置１００ｂは、上述した図８のステップＳＴ１４からステップＳＴ１６と同一の処理を行い、必要となる装置の情報を他機自動設定リスト３０４ｂに登録し、処理を終了する。なお、自設定パラメータの更新は、ユーザによる手動更新でもよいし、後述する自動更新処理によって行ってもよい。
【００３４】
次に、図１０のフローチャートを参照しながらパラメータの自動更新処理について説明する。図１０では、ネットワーク装置１００ａがネットワーク１１０に接続し、図８のステップＳＴ１からステップＳＴ１３の処理を行った後に、第２ネットワーク装置１００ｂに自動設定要求を出力する場合を例に説明する。
まず、第１ネットワーク装置１００ａの設定情報処理部１０７ａは、自動設定リスト記憶部１０３ａに記憶された他機自動設定リスト３０４ａを読み出し（ステップＳＴ３１）読み出した他機自動設定リスト３０４ａに、装置情報３０５ａ、装置レベル３０６ａ、設定項目候補３０７ａ、パラメータ値３０８ａ、パラメータ値候補３０９ａが存在するか判定を行う（ステップＳＴ３２）。存在しない場合（ステップＳＴ３２；ＮＯ）、処理を終了する。一方、存在する場合（ステップＳＴ３２；ＹＥＳ）、設定情報処理部１０７ａは自機自動設定リスト３０１ａの装置レベル３０３ａが、他機自動設定リスト３０４ａの装置レベル３０６ａよりも大きいか否か判定を行う（ステップＳＴ３３）。
【００３５】
自機自動設定リスト３０１ａの装置レベル３０３ａが、他機自動設定リスト３０４ａの装置レベル３０６ａ以下である場合（ステップＳＴ３３；ＮＯ）、ステップＳＴ３７の処理に進む。一方、自機自動設定リスト３０１ａの装置レベル３０３ａが、他機自動設定リスト３０４ａの装置レベル３０６ａよりも大きい場合（ステップＳＴ３３；ＹＥＳ）、自動設定要求が可能であると判断する（ステップＳＴ３４）。具体的には、図６で示した自機自動設定リスト３０１ａのビューワの装置レベル３０３ａは「４」であり、他機自動設定リスト３０４ａのネットワークカメラの装置レベル３０６ａは「２」であることから、ビューワはネットワークカメラに対して自動設定要求が可能であると判断する。
【００３６】
設定情報処理部１０７ａは、ステップＳＴ３４で自動設定要求が可能であると判断すると、該当する他機の他機自動設定リスト３０４ａのパラメータ値候補３０９ａから１つの値を任意に選択する（ステップＳＴ３５）。第１ネットワーク装置１００ａの設定送信部１０５ａは、装置情報３０２ａ、装置レベル３０３ａ、設定項目候補３０７ａおよびステップＳＴ３５で選択したパラメータ値候補３０９ａを自動設定要求として装置情報３０５ａに示された第２ネットワーク装置１００ｂに送信する（ステップＳＴ３６）。その後、設定情報処理部１０７ａは、該当する他のネットワーク装置全てに対して処理を行ったか否か判定を行う（ステップＳＴ３７）。他のネットワーク装置全てに対して処理を行った場合（ステップＳＴ３７；ＹＥＳ）には処理を終了し、他のネットワーク装置全てに対して処理を行っていない場合（ステップＳＴ３７；ＮＯ）にはステップＳＴ３３の処理に戻る。
【００３７】
第２ネットワーク装置１００ｂの設定受信部１０６ｂがステップＳＴ３６で送信された自動設定要求を受信すると（ステップＳＴ３８）、記憶情報処理部１０８ｂは自動設定要求の送信元である第１ネットワーク装置１００ａの装置情報が他機自動設定リスト３０４ｂ内に存在するか否か判定を行う（ステップＳＴ３９）。送信元の装置情報が他機自動設定リスト３０４ｂ内に存在しない場合（ステップＳＴ３９；ＮＯ）、処理を終了する。一方、送信元の装置情報が他機自動設定リスト３０４ｂ内に存在する場合（ステップＳＴ３９；ＹＥＳ）、ステップＳＴ３８で受信した自動設定要求に含まれる設定項目候補３０７ａおよび選択されたパラメータ値候補３０９ａを参照し、自設定パラメータ記憶部１０２ｂに記憶された自設定パラメータのパラメータ値２０２ｂを選択されたパラメータ値候補３０９ａに更新し（ステップＳＴ４０）、処理を終了する。なお、ステップＳＴ４０の処理は、上述した図９のステップＳＴ２１の自設定パラメータ更新に相当する。
【００３８】
次に、第２ネットワーク装置１００ｂが図８または図９で示したフローチャートのステップＳＴ１６の処理を行った後、ステップＳＴ１５でネットワークシステムに必要と判断した第１ネットワーク装置１００ａに対して自動設定要求を出力する動作について、図１１のフローチャートを参照しながら説明する。
第２ネットワーク装置１００ｂは、ステップＳＴ１５でネットワークシステムに必要と判断した第１ネットワーク装置１００ａを、自動設定要求を出力する対象とする（ステップＳＴ５１）。設定情報処理部１０７ｂは自機自動設定リスト３０１ｂの装置レベル３０３ｂが、ステップＳＴ５１で対象とした第１ネットワーク装置１００ａの装置レベル３０６ｂよりも大きいか否か判定を行う（ステップＳＴ５２）。自機自動設定リスト３０１ｂの装置レベル３０３ｂが、他機自動設定リスト３０４ｂの装置レベル３０６ｂ以下である場合（ステップＳＴ５２；ＮＯ）、ステップＳＴ５６の処理に進む。
【００３９】
一方、自機自動設定リスト３０１ａの装置レベル３０３ｂが、他機自動設定リスト３０４ｂの装置レベル３０６ｂよりも大きい場合（ステップＳＴ５２；ＹＥＳ）、自動設定要求が可能であると判断する（ステップＳＴ５３）。設定情報処理部１０７ｂは、ステップＳＴ５３で自動設定要求が可能であると判断すると、該当する他機の他機自動設定リスト３０４ｂのパラメータ値候補３０９ｂから１つの値を任意に選択する（ステップＳＴ５４）。第１ネットワーク装置１００ｂの設定送信部１０５ｂは、装置情報３０２ｂ、装置レベル３０３ｂ、設定項目候補３０７ｂおよびステップＳＴ５４で選択したパラメータ値候補３０９ｂを自動設定要求として装置情報３０５ｂに示された第１ネットワーク装置１００ａに送信する（ステップＳＴ５５）。
【００４０】
その後、設定情報処理部１０７ｂは、該当する他のネットワーク装置全てに対して処理を行ったか否か判定を行う（ステップＳＴ５６）。他のネットワーク装置全てに対して処理を行った場合（ステップＳＴ５６；ＹＥＳ）には処理を終了し、他のネットワーク装置全てに対して処理を行っていない場合（ステップＳＴ５６；ＮＯ）にはステップＳＴ５２の処理に戻る。
【００４１】
第１ネットワーク装置１００ａの設定受信部１０６ａがステップＳＴ５５で送信された自動設定要求を受信すると（ステップＳＴ５７）、記憶情報処理部１０８ａは自動設定要求の送信元である第２ネットワーク装置１００ｂの装置情報が他機自動設定リスト３０４ａ内に存在するか否か判定を行う（ステップＳＴ５８）。送信元の装置情報が他機自動設定リスト３０４ａ内に存在しない場合（ステップＳＴ５８；ＮＯ）、処理を終了する。一方、送信元の装置情報が他機自動設定リスト３０４ａ内に存在する場合（ステップＳＴ５８；ＹＥＳ）、ステップＳＴ５７で受信した自動設定要求に含まれる設定項目候補３０７ｂおよび選択されたパラメータ値候補３０９ｂを参照し、自設定パラメータ記憶部１０２ａに記憶された自設定パラメータのパラメータ値２０２ａを選択されたパラメータ値候補３０９ｂに更新し（ステップＳＴ５９）、処理を終了する。なお、ステップＳＴ５９の処理は、上述した図９のステップＳＴ２１の自設定パラメータ更新に相当する。
【００４２】
以上のように、この実施の形態１によれば、受信した他機の装置レベルと、自設定パラメータ記憶部１０２に記憶された自設定パラメータの各設定項目に対応した設定レベルとを比較して自動設定可能か否か判断し、自動設定可能と判断した設定項目のパラメータ値およびパラメータ候補値のみを自動設定情報として出力する設定情報処理部１０７を備えるように構成したので、他機に対して自動設定可能な設定項目をあらかじめ認識することができ、設定不可能なデータの送信が避けられる。これにより、ネットワーク内の不必要なデータ通信を抑制することができる。
【００４３】
また、この実施の形態１によれば、設定受信部１０６が受信した自動設定要求のうち、装置情報を参照して現在のネットワークシステムに必要となる装置からの自動設定要求のみを選択し、他機自動設定リストに登録する記憶情報処理部１０８を備えるように構成したので、無駄なパラメータ値設定処理を抑制することができる。
【００４４】
また、この実施の形態１によれば、自機の装置レベルと他機の装置レベルとを比較し、自機の装置レベルが他機の装置レベルより大きい場合に自動設定要求可能であると判断し、パラメータ値候補を選択して自動設定要求として他機に出力する設定情報処理部を備えるように構成したので、自動設定要求が可能な装置にのみに自動設定要求を出力することができ、不必要なデータ通信を抑制することができる。また、各ネットワーク装置に対してあらかじめサーバ（マスタ）設定を行う必要がなく、ネットワークシステムの利便性が向上する。
【００４５】
なお、上記実施の形態１では、図８から図１１において第１ネットワーク装置１００ａおよび第２ネットワーク装置１００ｂを例に説明したが、第２ネットワーク装置１００ｂに相当するネットワーク装置を複数設けて構成することも可能である。
【００４６】
なお、上記実施の形態１では、ネットワーク装置１００およびネットワーク１１０によりセキュリティシステムを構成する例を示したが、本発明のネットワーク装置は種々のシステムに適用可能である。
【００４７】
実施の形態２．
図１２は、この発明の実施の形態２によるネットワーク装置の構成を示すブロック図である。実施の形態２によるネットワーク装置１００は、上記実施の形態１で図１を用いて説明した構成に加え、設定項目の変更内容をユーザに分かり易く翻訳して提示する設定翻訳部４０１およびパラメータ制御部１０４内に項目探索部４０３を追加して設けている。なお、以下では、実施の形態１によるネットワーク装置１００の構成要素と同一または相当する部分には実施の形態１で使用した符号と同一の符号を付して説明を省略または簡略化する。
【００４８】
設定翻訳部４０１は、複数の翻訳文を記憶した設定翻訳記憶部４０２を備え、当該設定翻訳部４０２に記憶された複数の翻訳文をユーザに提示するための処理を行う。さらに、提示した翻訳文に対してユーザから選択処理が入力されると、ユーザが選択した翻訳文から該当する設定項目および設定内容を設定翻訳記憶部４０２から読み出し、パラメータ制御部１０４の項目探索部４０３に出力する。設定翻訳記憶部４０２は、ネットワークシステムに関して十分な知識を有していないユーザであっても設定項目の認識および設定項目の変更が行える翻訳文を設定項目および変更内容と対応付けて記憶している。項目探索部４０３は、設定翻訳部４０１が読み出した設定項目が自設定パラメータ記憶部１０２あるいは自動設定リスト記憶部１０３に含まれているか探索し、探索結果を設定情報処理部１０７あるいは記憶情報処理部１０８に出力する。
【００４９】
図１３は、この発明の実施の形態２のネットワーク装置の設定翻訳記憶部が備える設定翻訳情報の一例を示す図である。
設定翻訳情報は、項番５０１、翻訳文５０２、該当設定項目５０３および変更内容５０４で構成されている。項番５０１は翻訳文５０２の識別番号である。翻訳文５０２は、自動設定の内容をユーザ提示するための内容に翻訳した文章である。該当設定項目５０３は、各翻訳文５０２に対応して自動設定されるべき設定項目２０１および設定項目候補３０７が設定されている。例えば、翻訳文５０２が「画質を上げる」の場合は、画質に関連する設定項目２０１または設定項目候補３０７である画像サイズが該当設定項目５０３となる。また、翻訳文が「とにかく映像を滑らかにする」の場合は、画像サイズを下げ、フレームレートを上げるので、画像サイズと、フレームレートが該当設定項目５０３となる。
【００５０】
変更内容５０４は、該当設定項目５０３の変更内容が記憶される。例えば、翻訳文５０２の「画質を上げる」に対して該当設定項目５０３に「画像サイズ」と、変更内容５０４に「ＵＰ」と記憶される。これにより、設定翻訳部４０１は、「画像サイズを上げる（ＵＰする）」が変更内容であると判断する。
【００５１】
次に、実施の形態２によるネットワーク装置１００の動作について説明を行う。図１４は、実施の形態２のネットワーク装置の動作を示すフローチャートであり、上記実施の形態１のネットワーク装置と同一の処理を行うステップには上述した符号と同一の符号を付し、説明を省略または簡略化する。
ネットワーク装置１００の設定翻訳部４０１は、外部の表示装置（不図示）などを介して設定翻訳記憶部４０２に記載された翻訳文５０２をユーザに提示する（ステップＳＴ６１）。ステップＳＴ６１の翻訳文５０２の提示に対してユーザの選択入力を受け付けると、選択された該当設定項目５０３を変更内容５０４と共に項目探索部４０３に提示する（ステップＳＴ６２）。項目探索部４０３は、ステップＳＴ６２で提示された該当設定項目５０３が、自設定パラメータ記憶部１０２の自設定パラメータ２００の設定項目２０１に含まれているか否か判定を行う（ステップＳＴ６３）。
【００５２】
該当設定項目５０３が設定項目２０１に含まれている場合（ステップＳＴ６３；ＹＥＳ）、さらに項目探索部４０３は該当する選択項目２０１のパラメータ値２０２とパラメータ値候補２０３を比較し（ステップＳＴ６４）、変更内容５０４を満足するパラメータ値候補２０３が存在するか否か判定を行う（ステップＳＴ６５）。変更内容５０４を満足するパラメータ値候補２０３が存在する場合（ステップＳＴ６５；ＹＥＳ）、該当するパラメータ値候補２０３をパラメータ値２０２として自設定パラメータ記憶部１０２に記憶するように記憶情報処理部１０８に指示する（ステップＳＴ６６）。記憶情報処理部１０８は、該当するパラメータ値候補２０３を自設定パラメータのパラメータ値２０２として記憶する（ステップＳＴ６７）。
【００５３】
一方、該当設定項目５０３が設定項目２０１に含まれていない場合（ステップＳＴ６３；ＮＯ）、変更内容５０４を満足するパラメータ値候補２０３が存在しない場合（ステップＳＴ６５；ＮＯ）、または自設定パラメータ値として記憶した場合（ステップＳＴ６７）、項目探索部４０３は該当設定項目５０３が自動設定リスト記憶部１０３の他機自動設定リスト３０４の設定項目候補３０７に含まれているか否か判定を行う（ステップＳＴ６８）。該当設定項目５０３が設定項目候補３０７に含まれている場合（ステップＳＴ６８；ＹＥＳ）、さらに項目探索部４０３は該当する設定項目候補３０７のパラメータ値３０８とパラメータ値候補３０９を比較し（ステップＳＴ６９）、変更内容５０４を満足するパラメータ値候補３０９が存在するか否か判定を行う（ステップＳＴ７０）。変更内容５０４を満足するパラメータ値候補３０９が存在する場合（ステップＳＴ７０；ＹＥＳ）、該当するパラメータ値候補３０９を自動設定要求として出力するように設定情報処理部１０７に指示する（ステップＳＴ７１）。設定情報設定１０７は、該当するパラメータ値候補３０９、装置情報３０２、装置レベル３０３および該当する設定項目候補３０７を自動設定要求として装置情報３０５に記載されたネットワーク装置１００に出力する（ステップＳＴ７２）。その後、上述した図１０のステップＳＴ３８、あるいは図１１のステップＳＴ５７の処理に進む。
【００５４】
一方、該当設定項目５０３が設定項目候補３０７に含まれていない場合（ステップＳＴ６８；ＮＯ）、または変更内容５０４を満足するパラメータ値候補３０９が存在しない場合（ステップＳＴ７０；ＮＯ）、項目探索部４０３は該当する全ての他機について処理を行ったか否か判定を行い（ステップＳＴ７３）、全ての他機について処理を行っていない場合（ステップＳＴ７３；ＮＯ）、ステップＳＴ６８の処理に戻る。一方、すべての他機について処理を行った場合には、処理を終了する。
【００５５】
以上のように、この実施の形態２によれば、ネットワークシステムに関して十分な知識を有していないユーザであっても理解できる翻訳文と、設定項目および変更内容を対応付けて記憶した設定翻訳記憶部４０２と、翻訳文をユーザに提示すると共に、ユーザにより選択された翻訳文に対する設定項目と変更内容を提示する設定翻訳部４０１と、提示された設定項目および設定内容を満たすパラメータ値候補が存在するか探索する項目探索部４０３とを備えるように構成したので、ネットワークシステムに関して十分な知識を有していないユーザであってもネットワーク装置の自動設定を行うことができ、ネットワークシステムの運用が可能となる。
【００５６】
実施の形態３．
図１５は、実施の形態３によるネットワーク装置の構成を示すブロック図である。実施の形態３によるネットワーク装置１００は、上記実施の形態２で図１２を用いて説明した構成に加え、ネットワーク装置１００およびネットワーク１１０の状態を監視する装置状態監視部６０１を追加して設けている。なお、以下では、実施の形態１および実施の形態２によるネットワーク装置１００の構成要素と同一または相当する部分には実施の形態１および実施の形態２で使用した符号と同一の符号を付して説明を省略または簡略化する。
【００５７】
装置状態監視部６０１は、自動設定を行う際の閾値および条件を記憶した装置状態記憶部６０２を備え、ネットワーク装置１００およびネットワーク１１０の使用状態を監視し、当該使用状態が装置状態監視部６０１に記憶された閾値の条件となると、当該条件となった使用状態に対応した翻訳文５０２を指定して自動設定を行う指示を設定翻訳部４０１に出力する。ここで、使用状態とは、例えばネットワーク装置１００のＣＰＵ使用率やメモリ使用率などが挙げられる。
【００５８】
図１６は、この発明の実施の形態３のネットワーク装置の装置状態記憶部６０２が記憶する装置状態情報の一例を示す図である。
装置状態情報は、項番７０１、監視内容７０２、自動設定条件７０３および翻訳番号７０４で構成されている。項番７０１は監視内容７０２の識別番号である。監視内容７０２は監視する装置状態である。自動設定条件７０３は、ネットワーク装置１００のパラメータ値を自動設定するための閾値および条件である。図１６の例では、ＣＰＵの使用率が６０％以上、ＲＡＭの使用容量が１ＧＢ以上、またはＶ−ＲＡＭの使用容量が５００ＭＢ以上となるとパラメータ値の自動設定を行う。翻訳番号７０４は、パラメータ値の自動設定を行う際の、設定翻訳記憶部４０２に記憶された翻訳文５０２の項番５０１と同一の番号が記載されている。
【００５９】
次に、実施の形態３によるネットワーク装置１００の装置状態監視部６０１の動作について説明を行う。図１７は、この発明の実施の形態３のネットワーク装置の装置状態監視動作を示すフローチャートであり、上記実施の形態２のネットワーク装置と同一の処理を行うステップには上述した符号と同一の符号を付し、説明を省略または簡略化する。
装置状態監視部６０１は、ネットワーク装置１００およびネットワーク１１０の使用状態を監視し、当該使用状態が使用状態記憶部６０２に記憶されたパラメータ値の自動設定条件を満たしているか否か判定を行う（ステップＳＴ８１）。自動設定条件を満たしていない場合（ステップＳＴ８１；ＮＯ）、ステップＳＴ８１の処理に戻り使用状態の監視を継続する。一方、自動設定条件を満たしている場合（ステップＳＴ８１；ＹＥＳ）、装置状態監視部６０１は自動設定条件を満たした監視内容７０２に対応する翻訳番号７０４を取得し、設定翻訳部４０１に出力する（ステップＳＴ８２）。
【００６０】
設定翻訳部４０１は、ステップＳＴ８２で出力された翻訳番号７０４を取得し（ステップＳＴ８３）、設定翻訳記憶部４０２に記憶された設定翻訳情報から翻訳番号７０４と同一番号を有する項番５０１の該当設定項目５０３を変更内容５０４と共に項目探索部４０３に提示する（ステップＳＴ８４）。その後、フローは上述した図１４のステップＳＴ６３に進み、実施の形態２と同一の処理が行われる。
【００６１】
以上のように、この実施の形態３によれば、ネットワーク装置１００およびネットワーク１１０の使用状態を監視し、パラメータ値の自動設定条件を満たすと設定翻訳部４０１に対してパラメータ値の自動設定を指示する装置状態監視部６０１を備えるように構成したので、ネットワーク装置と当該ネットワーク装置が接続されたネットワークの状態に応じてパラメータ値の自動設定を行うことができ、ユーザ操作を必要とすることなくネットワーク装置の運用継続を行うことができる。
【００６２】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００６３】
１００，１００ａ，１００ｂ，１００ｃ  ネットワーク装置、１０１  パラメータ記憶部、１０２  自設定パラメータ記憶部、１０３  自動設定リスト記憶部、１０４  パラメータ制御部、１０５  設定送信部、１０６  設定受信部、１０７  設定情報処理部、１０８  記憶情報処理部、１０９  ネットワーク制御部、１１０  ネットワーク、４０１  設定翻訳部、４０２  設定翻訳記憶部、４０３  項目探索部、６０１  装置状態監視部、６０２  装置状態記憶部。
【図１】
0005618891.tif 000002
【図２】
0005618891.tif 000003
【図３】
0005618891.tif 000004
【図４】
0005618891.tif 000005
【図５】
0005618891.tif 000006
【図６】
0005618891.tif 000007
【図７】
0005618891.tif 000008
【図８】
0005618891.tif 000009
【図９】
0005618891.tif 000010
【図１０】
0005618891.tif 000011
【図１１】
0005618891.tif 000012
【図１２】
0005618891.tif 000013
【図１３】
0005618891.tif 000014
【図１４】
0005618891.tif 000015
【図１５】
0005618891.tif 000016
【図１６】
0005618891.tif 000017
【図１７】
0005618891.tif 000018